(57)【要約】【課題】  周囲音を分析し、その分析結果から報知音を生成する報知音生成装置及び着信報知装置を提供する。【解決手段】  マイクロフォン１７ａによって入力され、集音部１７ｃでサンプリングされた周囲音は、連結部１７ｄによって過去にサンプリングされた周囲音と連結され、その連結された周囲音の特徴パラメータが分析部１７ｅによって抽出され、特徴パラメータ記憶部１７ｉに記憶される。比較部１７ｆによって、その抽出された特徴パラメータが、過去に分析部１７ｅによって抽出され、特徴パラメータ記憶部１７ｉに記憶された特徴パラメータから変化していると判断された場合、生成部１７ｇは、分析部１７ｅによって抽出された特徴パラメータから報知音を生成して、音声コンテンツ記憶部１８に格納する。【選択図】  図２
2007019846.tif 000002
【特許請求の範囲】
【請求項１】
周囲音からなる音声信号をサンプリングして周囲音サンプルを作成する集音手段と、
前記集音手段によって作成された周囲音サンプルの特徴パラメータを抽出する分析手段と、
前記分析手段によって抽出された特徴パラメータに変更を加え、その変更された特徴パラメータから報知音を生成する生成手段と
を有することを特徴とする報知音生成装置。
【請求項２】
前記集音手段は、所定の間隔をおいてサンプリングされた前記周囲音からなる音声信号を連結して前記周囲音サンプルを作成する
ことを特徴とする請求項１に記載の報知音生成装置。
【請求項３】
前記特徴パラメータを比較する比較手段を有し、
前記分析手段は、前記抽出された特徴パラメータを記憶手段に記憶し、
前記比較手段は、前記記憶手段に記憶された過去の特徴パラメータと、前記分析手段によって抽出された特徴パラメータとの間の変化の有無を判断し、
前記生成手段は、前記比較手段によって前記変化が有ると判断された場合、前記報知音を生成する
ことを特徴とする請求項１に記載の報知音生成装置。
【請求項４】
着信信号を受信する受信手段と、
前記受信手段によって着信信号が受信された場合、着信報知指示を送信する制御手段と、
周囲音からなる音声信号をサンプリングして周囲音サンプルを作成する集音手段と、
前記集音手段によって作成された周囲音サンプルの特徴パラメータを抽出する分析手段と、
前記分析手段によって抽出された特徴パラメータに変更を加え、その変更された特徴パラメータから報知音を生成する生成手段と、
前記制御手段によって送信された着信報知指示が受信された場合、前記生成手段によって生成された報知音を発生させる着信報知手段と
を有することを特徴とする着信報知装置。
【請求項５】
前記制御手段は、間欠起床周期毎に起床し、起床の度に前記受信手段を起動し、所定回数の起床に１回の割合で前記集音手段と、前記分析手段と、前記生成手段とを起動する
ことを特徴とする請求項４に記載の着信報知装置。
【請求項６】
前記特徴パラメータを比較する比較手段を有し、
前記分析手段は、前記抽出された特徴パラメータを記憶手段に記憶し、
前記比較手段は、前記記憶手段に記憶された過去の特徴パラメータと、前記分析手段によって抽出された特徴パラメータとの間の変化の有無を判断し、
前記制御手段は、前記比較手段によって変化が有ると判断された場合、前記所定の回数を減じ、前記比較手段によって変化が無いと判断された場合、前記所定の回数を増す
ことを特徴とする請求項５に記載の着信報知装置。
【発明の詳細な説明】
【技術分野】
【０００１】
本発明は、報知音生成装置及び着信報知装置に係り、特に、周囲音に応じた報知音を生成する処理に関する。
【背景技術】
【０００２】
多くの装置は、異常を検出した場合や指示された動作を終了した場合などに、装置の使用者にその旨を報知すべく、報知音を発生させる。また、移動通信端末装置や、ページャーなど、多くの着信信号を受信する装置は、着信信号を受信したことを装置の使用者に報知すべく、着信報知音を発生させる。
【０００３】
これらの報知音は、装置の使用者が聞き逃さず、かつ、周囲の者が違和感を感じない音声が望ましいので、装置の周囲の音声に依存して、適切な音量と音質の音声であることが求められる。そこで、周囲音を分析して、その分析結果に基づいて、記憶された複数の着信報知音から適切な着信報知音を選択し、その着信報知音の音量などを変更する移動通信端末装置が知られている（例えば、特許文献１参照。）。
【特許文献１】特開２００１−２２３７６７号公報（第２頁、図１）
【発明の開示】
【発明が解決しようとする課題】
【０００４】
しかしながら、上述した特許文献１に開示されている手法では、例えば、装置の使用者が装置を携帯して移動することによって周囲音が大きく変化した場合、その変化した周囲音に適した着信報知音が記憶されていないため、適切な報知音を発生させることができない問題点があった。
【０００５】
本発明は上記問題点を解決するためになされたもので、周囲音を分析し、その分析結果から報知音を生成する報知音生成装置及び着信報知装置を提供することを目的とする。
【課題を解決するための手段】
【０００６】
上記目的を達成するために、本発明に係る報知音生成装置においては、周囲音からなる音声信号をサンプリングして周囲音サンプルを作成する集音手段と、前記集音手段によって作成された周囲音サンプルの特徴パラメータを抽出する分析手段と、前記分析手段によって抽出された特徴パラメータに変更を加え、その変更された特徴パラメータから報知音を生成する生成手段とを有することを特徴とする。
【発明の効果】
【０００７】
本発明によれば、周囲音を分析し、その分析結果から報知音を生成する報知音生成装置及び着信報知装置を提供することができる。
【発明を実施するための最良の形態】
【０００８】
以下に、本発明による報知音生成装置及び着信報知装置の実施の形態を、図面を参照して説明する。図１は、本発明の実施形態に係る報知音生成装置及び着信報知装置が適用された移動通信端末装置の構成を示すブロック図である。この移動通信端末装置は、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、着信音生成部１７と、周囲音集音用のマイクロフォン１７ａと、音声コンテンツ記憶部１８と、着信音再生部１９と、着信音発生用のスピーカ１９ａとからなる。音声コンテンツ記憶部１８は、音声コンテンツ１８ａを記憶する。
【０００９】
図２は、着信音生成部１７の詳細な構成を示すブロック図である。この着信音生成部１７は、制御部１１と接続され、着信音生成部１７の各部の制御を行う着信音生成制御部１７ｂと、マイクロフォン１７ａと接続され、マイクロフォン１７ａによって入力された周囲音サンプルを収集する集音部１７ｃと、現在の周囲音と過去の周囲音とを連結する連結部１７ｄと、連結された周囲音サンプルの特徴パラメータを算出する分析部１７ｅと、複数の特徴パラメータを比較する比較部１７ｆと、音声コンテンツ記憶部１８と接続され、特徴パラメータから着信音を生成する生成部１７ｇと、周囲音サンプルを記憶する周囲音記憶部１７ｈと、特徴パラメータを記憶する特徴パラメータ記憶部１７ｉとからなる。
【００１０】
以下、上記移動通信端末装置を構成する各部について説明する。
【００１１】
音声コンテンツ記憶部１８は、音声コンテンツ１８ａを記憶する。音声コンテンツ１８ａは、符号化された音声コンテンツであるが、符号化されていないものでも良い。音声コンテンツ１８ａの中の１つには、着信報知音である旨の情報が付加されている。この着信報知音である旨の情報が付加された音声コンテンツ１８ａを、以後着信報知音と称する。着信報知音は、以下に説明するように、着信音生成部１７によって生成されるが、着信音生成部１７によって生成されるまでは、着信報知音は、事前に定められた所定の音声コンテンツ１８ａである。
【００１２】
制御部１１は、装置が待ち受け状態にあっては、所定の間欠起床間隔で間欠起床して、通信部１２ｂ及び送受信部１３を制御して、基地局から着信信号が送信されているか否かを判断する。そして、着信信号が送信されていると判断された場合、着信音再生部１９を制御して、着信報知音を発生させる。また、所定回数の間欠起床に１回の割合で、間欠起床の際に着信音生成部１７を起動する。この所定回数については、着信音生成部１７の動作説明の際に詳述する。
【００１３】
通信部１２ｂは、アンテナ１２ａが受信した高周波信号を送受信部１３へ出力し、また、送受信部１３から出力される高周波信号をアンテナ１２ａより送信する。
【００１４】
送受信部１３は、通信部１２ｂからの高周波信号を増幅、周波数変換及び復調し、それによって得られたディジタル音声信号を通話部１４ｃへ、また、着信信号を含む制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１５】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１６】
表示部１５は、制御部１１に制御されることで、カーソルを含む文字・数字や画像データの表示動作を行い、表示されているデータは、入力装置１６からの入力操作や着信信号に応答して制御部１１からの指示を受けることで切換わる。
【００１７】
入力装置１６は、通信相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、制御部１１によって、表示部１５に文字として表示され、または、制御が行われる。
【００１８】
着信音生成部１７は、マイクロフォン１７ａから周囲音を入力し、その周囲音を分析し、その分析結果から周囲音に適した着信音を生成する。そして、生成された着信音を着信報知音として音声コンテンツ記憶部１８に格納する。
【００１９】
着信音再生部１９は、制御部１１が着信信号を受信した際に、制御部１１によって起動される。そして、音声コンテンツ記憶部１８に記憶された着信報知音を復号し、復号された音声信号をスピーカ１９ａから発生させる。
【００２０】
以下、本発明の実施形態に係る移動通信端末装置の動作について説明する。
【００２１】
図３は、着信音生成制御部１７ｂが着信音生成部１７の各部を制御する動作のフローチャートを示す。着信音生成制御部１７ｂは、制御部１１によって起動されて制御動作を開始する（ステップＳ１７ａ）。そして、集音部１７ｃを制御して周囲音のサンプルを作成させる（ステップＳ１７ｂ）。
【００２２】
集音部１７ｃは、マイクロフォン１７ａによって入力された周囲音を所定の時間幅でサンプリングする。この所定の時間幅は、数十ミリ秒から百ミリ秒程度であるが、これに限るものではない。後に述べる周囲音の基本周波数が低い場合は長く、その周波数が高い場合は短くしても良い。集音部１７ｃは、作成された周囲音サンプルの全周波数に渡る音声パワーを求め、その音声パワーを所定の値と比較することによって、周囲音が有音であるか無音であるかを判断する。そして、その音声パワーと、その判断とを着信音生成制御部１７ｂに送信する。更に、その周囲音サンプルをディジタル信号に変換し、変換されたディジタル信号を連結部１７ｄに送信し、更に、周囲音記憶部１７ｈに格納する。
【００２３】
着信音生成制御部１７ｂは、集音部１７ｃによる周囲音が有音であるか無音であるかの判断に従って（ステップＳ１７ｃ）、有音である場合、連結部１７ｄを制御して、集音部１７ｃによって得られた周囲音のディジタル信号と、周囲音記憶部１７ｈに記憶された過去に集音部１７ｃによって得られた周囲音のディジタル信号とを連結させる（ステップＳ１７ｄ）。
【００２４】
連結部１７ｄは、集音部１７ｃによって送信された周囲音のディジタル信号と、周囲音記憶部１７ｈに記憶された直近の過去の所定個の周囲音のディジタル信号とを連結し、連結されたディジタル信号を分析部１７ｅに送信するが、これに限るものではない。例えば、これらの所定個に１を加えた個数の信号の中で、ある信号の音声パワーがその他の信号の音声パワーに比較して所定の比率以上に高い場合、その信号は一時的な雑音として、連結に用いないこととしても良い。また、ある信号の音声パワーがその他の信号の音声パワーに比較して所定の比率以上に低い場合、その信号は一時的な周囲音の低下であるとして、連結に用いないこととしても良い。
【００２５】
また、連結部１７ｄは、これらの所定個に１を加えた個数の信号の中で、古い信号の音声パワーと新しい信号の音声パワーが所定の比率以上に異なる場合、周囲音が急激に変化したとして、新しい信号を用いて連結するとしても良い。
【００２６】
着信音生成制御部１７ｂは、続いて、分析部１７ｅを制御して、連結部１７ｄによって連結された信号を分析して、その信号の特徴パラメータ、即ち、その信号の特徴を示す情報を抽出させ、得られた特徴パラメータを比較部１７ｆに送信させ、更に、特徴パラメータ記憶部１７ｉに格納させる（ステップＳ１７ｅ）。
【００２７】
分析部１７ｅは、連結部１７ｄによって送信された、連結された信号をフーリェ変換する。これによって、連結された信号から、周波数スペクトル、即ち、周波数とその周波数成分のスペクトル（パワースペクトル）とからなる特徴パラメータが抽出される。なお、周波数スペクトルはパワースペクトルであると限るものではなく、位相スペクトルを含んでも良い。
【００２８】
なお、フーリェ変換によって、大きなスペクトルを有する周波数の数が少なく、それらの周波数が、それらの周波数の中で最も低い周波数の整数倍になることがある。この場合、その最も低い周波数を基本周波数と呼ぶ。基本周波数は、連結された信号の音の高さの基本を示し、その他の周波数のスペクトルは、連結された信号の音色やメロディを示す。
【００２９】
分析部１７ｅは、上記変換によって得られた特徴パラメータを比較部１７ｆに送信し、更に、特徴パラメータ記憶部１７ｉに格納する。なお、分析部１７ｅは、フーリェ変換によって周波数スペクトルからなる特徴パラメータを抽出するとしたが、これに限るものではない。音響パラメータ、例えば、線形予測法によって得られたケプストラムからなる特徴パラメータを抽出しても良い。
【００３０】
次に、着信音生成制御部１７ｂは、比較部１７ｆを制御して、特徴パラメータ記憶部１７ｉに記憶された過去に分析部１７ｅによって得られた特徴パラメータを読み出させ（ステップＳ１７ｆ）、その読み出された特徴パラメータと、分析部１７ｅによって得られた周囲音の特徴パラメータとを比較させる（ステップＳ１７ｇ）。
【００３１】
比較部１７ｆは、分析部１７ｅによって送信された周囲音の周波数スペクトルと、直近の過去に分析部１７ｅによって得られ、特徴パラメータ記憶部１７ｉに記憶された周囲音の周波数スペクトルとを比較し、基本周波数がある割合以上に変化している場合、全周波数に渡るパワーの合計がある割合以上に変化している場合、または、パワースペクトルが高い所定個数の周波数がある割合以上に変化している場合などに、特徴パラメータに変化有りと判断し、それらの場合以外の場合、特徴パラメータに変化無しと判断する。そして、その判断を着信音生成制御部１７ｂに送信し、また、特徴パラメータに変化有りと判断した場合、分析部１７ｅから送信された周囲音の特徴パラメータを生成部１７ｇに送信する。
【００３２】
次に、着信音生成制御部１７ｂは、比較部１７ｆによる特徴パラメータの変化の有無の判断に従って（ステップＳ１７ｇ）、変化有りと判断された場合、制御部１１に着信音生成制御部１７ｂを起動する間隔の短縮を指示する（ステップＳ１７ｈ）。特徴パラメータが変化している際、より頻繁に周囲音をサンプリングして着信音に反映させることが、より望ましい着信音を生成する観点から適切だからである。
【００３３】
ここで、この間隔の短縮の指示は、制御部１１が間欠起床する都度着信音生成制御部１７ｂを起動する指示であるが、これに限るものではない。例えば、このステップの実行の前に、制御部１１がｎ（ｎ≧２）回間欠起床する度に１回着信音生成制御部１７ｂを起動している場合、制御部１１が（ｎ−１）回間欠起床する度に１回着信音生成制御部１７ｂを起動する指示であっても良い。いずれにせよ、最も間隔が短縮された場合、着信音生成制御部１７ｂは、制御部１１が間欠起床する都度起動される。
【００３４】
また、ステップＳ１７ｇで比較部１７ｆによって行われた特徴パラメータの比較結果を、変化の有無ではなく、変化の程度を示すものとし、着信音生成制御部１７ｂは、その変化の程度が高い程、大きな上記間隔の短縮の指示を行うとしても良い。
【００３５】
次に、着信音生成制御部１７ｂは、生成部１７ｇを制御して、比較部１７ｆから送信された特徴パラメータを解析し、その解析結果に従って着信音を生成させ（ステップＳ１７ｉ）、その着信音の音量を調整させ（ステップＳ１７ｊ）、更に、音量が調整された着信音を音声コンテンツ記憶部１８に格納させて（ステップＳ１７ｋ）、制御動作を終了する（ステップＳ１７ｍ）。
【００３６】
生成部１７ｇは、上記のように比較部１７ｆから送信された特徴パラメータから着信音を生成する指示によって起動された場合、その特徴パラメータの基本周波数とその他の周波数成分とのスペクトルを用いて、以下に説明する１つ、または複数の処理と、逆フーリェ変換とにより、調整された音量の着信音を生成する。即ち、第１に、全周波数について音量を上げる。着信音は、周囲音よりも大きい音量であることが使用者が確実に報知に気が付くために望ましいからである。
【００３７】
第２に、高い周波数程大きく音量を上げる。高い周波数程使用者が気付く可能性が高いからである。第３に、スペクトルが大きい周波数程大きく音量を上げる。周囲音の特徴が強調された着信音とするためである。第４に、スペクトルが小さい周波数程大きく音量を上げる。周囲音の特徴を目立ち難くするためであって、例えばホワイトノイズを加えても良い。
【００３８】
第５に、全周波数について周波数を上げる。高い周波数程使用者が気付く可能性が高いからである。第６に、基本周波数は周波数を変えずに、それ以外の周波数を上げる。第７に、基本周波数は周波数を変えずに、それ以外の周波数を、高い周波数程大きく周波数を上げる。これらの基本周波数を変えず、それ以外の周波数を変える処理によれば、周囲の者は、周囲音とほぼ同じ周波数の音であるとの印象を持ち、違和感を感じ難いためである。
【００３９】
第８に、効果音、例えば、エコーを加える。第９に、比較部１７ｆから送信された特徴パラメータに依存しない、音声コンテンツ記憶部１８に記憶された着信報知音以外の音声コンテンツ１８ａを加えた音声とする。この音声コンテンツ１８ａは、例えば、楽曲などの音楽、動物の鳴き声、クラクション音等である。この処理により、装置の使用者は、好みの音声コンテンツ１８ａを着信報知音の一部として用いつつ、周囲の者は、その音声コンテンツ１８ａが周囲音から生成された音声によってマスキングされ、違和感を感じ難い。
【００４０】
そして、生成部１７ｇは、上記調整された音量の着信音を符号化し、着信報知音として音声コンテンツ記憶部１８に更新格納して、動作を終了する。
【００４１】
なお、生成部１７ｇは、後述するように、音声コンテンツ記憶部１８に記憶された着信報知音の音量の調整のみを指示されて動作を行う場合がある。この場合、生成部１７ｇは、音声コンテンツ記憶部１８に記憶された着信報知音を読み出して、その音声の音量を指示に従って調整し、音量が調整された音声を着信報知音として音声コンテンツ記憶部１８に更新格納して、動作を終了する。
【００４２】
ステップＳ１７ｇで、変化無しと判断された場合、着信音生成制御部１７ｂは、制御部１１に着信音生成制御部１７ｂを起動する間隔の延長を指示して（ステップＳ１７ｎ）、動作を終了する（ステップＳ１７ｍ）。特徴パラメータが変化していない際、より間隔をおいて周囲音をサンプリングして着信音に反映させることが、消費電力の削減の観点から適切だからである。
【００４３】
ここで、この間隔の延長の指示は、例えば、このステップの実行の前に、制御部１１がｎ（ｎ≧１）回間欠起床する度に１回着信音生成制御部１７ｂを起動している場合、制御部１１が（ｎ＋１）回間欠起床する度に１回着信音生成制御部１７ｂを起動する指示であるが、これに限るものではない。例えば、ｎが所定の値より大きい場合、引き続いて、制御部１１がｎ（ｎ≧２）回間欠起床する度に１回着信音生成制御部１７ｂを起動する指示である。着信音生成制御部１７ｂが起動される間隔が大き過ぎると、望ましい着信音を生成する観点から適切でないので、その間隔に上限値を定めるためである。
【００４４】
また、ステップＳ１７ｇで比較部１７ｆによって行われた特徴パラメータの比較結果を、変化の有無ではなく、変化の程度を示すものとし、着信音生成制御部１７ｂは、その変化の程度が低い程、大きな上記間隔の延長の指示を行うとしても良い。この場合も、着信音生成制御部１７ｂが起動される間隔には、上限値を定める。
【００４５】
また、ステップＳ１７ｎで間隔の延長を指示した後、着信音生成制御部１７ｂは、ステップＳ１７ｉ以降の、生成部１７ｇを制御して、比較部１７ｆから送信された特徴パラメータから着信音を生成させる動作をさせても良い。この動作をさせる場合、比較部１７ｆは、特徴パラメータの変化の有無に依存せず、常に、分析部１７ｅから送信された周囲音の特徴パラメータを生成部１７ｇに送信する。この着信音を生成させる処理によれば、特徴パラメータにわずかの変化が有る場合、適切な着信音を生成することができる。
【００４６】
ステップＳ１７ｃで無音である場合、着信音生成制御部１７ｂは、ステップＳ１７ｊ以降の動作をする。即ち、生成部１７ｇを制御して、音声コンテンツ記憶部１８に記憶された着信報知音の音量を、集音部１７ｃによって得られた周囲音の全周波数に渡る音声パワーに比較して適切な音量に調節させる動作と、その音量が調整された着信報知音を音声コンテンツ記憶部１８に更新格納させる動作とをさせる。なお、着信音生成制御部１７ｂは、上記適切な音量が所定の音量を下回ることがないようにする。
【００４７】
以上の説明では、連結部１７ｄは、所定個に１を加えた個数の信号の中で連結に用いない信号をその信号の音声パワーを評価することによって決定するとしたが、これに限るものではない。例えば、着信音生成制御部１７ｂは、集音部１７ｃによって変換された１つの周囲音サンプル毎に分析部１７ｅを制御して特徴パラメータに変換させ、連結部１７ｄは、その特徴パラメータを評価することによって連結に用いない信号を決定するとしても良い。
【００４８】
この処理によれば、一時的に発生した音声によって周囲音が変化した場合、たとえ、その変化した周囲音の音声パワーに変化がなくとも、例えば、基本周波数に大きな変化があった場合、その変化した周囲音を用いないことによって適切な着信報知音を生成することができる。また、周囲音が変化した場合、より早く変化後の周囲音を用いた適切な着信報知音を生成することができる。
【００４９】
また、以上の説明では、着信音生成部１７は、制御部１１が着信信号が送信されているか否かを判断するために間欠起床した際に起動されることによって、その着信信号が送信されているか否かを判断するための動作と、着信音生成部１７の動作とを同時に行うことにより消費電力が削減されるとしたが、これに限るものではない。
【００５０】
着信音生成部１７は、着信信号が送信されているか否かを判断するために行われる間欠起床と無関係に、任意長の周期で制御部１１によって起動されるとしても良い。この処理によれば、周囲音の変化の激しい場合、緩やかな場合、それぞれに適した任意長の周期を選択することができる。
【００５１】
また、以上の説明では、着信音生成部１７は連結部１７ｄを有し、複数の周囲音サンプルから着信報知音を生成することによって、一時的な周囲音の変化、例えば、雑音に影響され難い、平滑化された着信報知音を生成するとしたが、これに限るものではない。例えば、着信音生成部１７は連結部１７ｄ及び周囲音記憶部１７ｈを有さず、１個の周囲音サンプルから着信報知音を生成するとしても良い。この処理によれば、例えば、制御部１１は、着信信号が受信された場合に着信音生成部１７を起動し、着信音生成部１７によって着信報知音が生成された後、着信音再生部１９を制御して着信報知音を発生させても良い。この処理によれば、着信音生成部１７が起動される回数を減らすことができ、消費電力が削減される。
【００５２】
また、以上の説明では、着信音生成部１７の生成部１７ｇは、周囲音から生成された音声と音声コンテンツ記憶部１８に記憶された着信報知音以外の音声コンテンツ１８ａとを加えて着信報知音とする処理をしても良いとしたが、これに限るものではない。例えば、生成部１７ｇは、周囲音から生成された着信報知音を音声コンテンツ記憶部１８に格納し、着信音再生部１９は、着信報知音と、音声コンテンツ記憶部１８に記憶された着信報知音以外の音声コンテンツ１８ａとを再生し、音量を適切な値に調整して同時に発生させても良い。
【００５３】
また、以上の説明は、本発明を移動通信端末装置に適用した形態を例にとって行ったが、本発明は、報知音を発生するあらゆる装置に適用することが当然に可能である。更に、以上の説明は、報知音として着信報知音を例にとって行ったが、これに限るものではない。例えば、異常な状況であることを報知する音声（アラーム音）であっても良く、また、指示された動作の終了を報知する音声であっても良い。
【００５４】
更に、周囲音は、マイクロフォン１７ａから入力されると限るものではない。例えば、装置が音楽を再生する装置である場合、再生される音楽信号を周囲音として入力しても良い。本発明は以上の構成に限定されるものではなく、種々の変形が可能である。
【図面の簡単な説明】
【００５５】
【図１】本発明の実施形態に係る移動通信端末装置の構成を示すブロック図。
【図２】本発明の実施形態に係る着信音生成部の構成を示すブロック図。
【図３】本発明の実施形態に係る着信音生成制御部の制御動作を示すフローチャート。
【符号の説明】
【００５６】
１１  制御部
１３  送受信部
１７  着信音生成部
１７ａ  マイクロフォン
１７ｂ  着信音生成制御部
１７ｃ  集音部
１７ｄ  連結部
１７ｅ  分析部
１７ｆ  比較部
１７ｇ  生成部
１７ｈ  周囲音記憶部
１７ｉ  特徴パラメータ記憶部
１８  音声コンテンツ記憶部
１８ａ  音声コンテンツ
１９  着信音再生部
１９ａ  スピーカ
【図１】
2007019846.tif 000003
【図２】
2007019846.tif 000004
【図３】
2007019846.tif 000005